(57)【要約】【課題】本発明は、超薄型のラベルの剥離率と製品に確実に貼り付ける際の歩留まりとを向上させることができるラベル分離装置を提供する。【解決手段】上表面を有する分離刃具を含み、ラベルが付着された送りガスケットは上記分離刃具の上表面で移動することができ、上記分離刃具の上表面には案内部と分離部が設けられ、上記分離部と上記案内部とは連接され、上記分離部は曲面であり、上記送りガスケットの変位方向に垂直である上記曲面の断面は曲線である。上記ラベル分離装置の分離刃具の分離部は曲面であり、上記送りガスケットの変位方向に垂直である上記曲面の断面は曲線である。ラベルと送りガスケットとが分離部を通過するとき、分離部の曲面により、予め湾曲が発生し、曲げられるので、ラベルの変位方向の硬度を向上させることができる。したがって、ラベルが送りガスケットと共に分離部の尖端に到達するとき、ラベルを送りガスケットから容易に外し、ラベルの剥離率と製品に貼り付ける際の歩留まりとを向上させることができる。【選択図】図１
2017081681.tif 000002
【特許請求の範囲】
【請求項１】
上表面を有する分離刃具を含み、ラベルが付着された送りガスケットは上記分離刃具の上表面に沿って移動し、上記送りガスケットの上面にはラベルが付着されて、この底面は分離刃具の上表面と対向するラベル分離装置であって、
上記分離刃具の上表面には案内部と分離部が設けられ、上記分離部と上記案内部とは互いに連結され、上記分離部は曲面であり、上記送りガスケットの移動方向に垂直である上記曲面の断面は曲線であり、上記曲線の曲率半径は１乃至２００ｍｍであり、上記曲線の中央部の曲率半径は両側の曲率半径よりも大きいことを特徴とするラベル分離装置。
【請求項２】
上記曲面は円弧面であり、上記曲線は円弧線であることを特徴とする請求項１に記載のラベル分離装置。
【請求項３】
上記案内部の上方の両側には案内押さえが設けられることを特徴とする請求項１に記載のラベル分離装置。
【請求項４】
ラベル分離方法であって、
まず、ラベルを送りガスケットの上面に間隔を空けて付着させ、
次に、ラベルが付着された送りガスケットをラベル分離装置に実装し、該ラベル分離装置は上表面を有する分離刃具を含み、ラベルが付着された送りガスケットは上記分離刃具の上表面に沿って移動し、上記送りガスケットの上面にはラベルが付着され、この底面は分離刃具の上表面と対向し、上記分離刃具の上表面には案内部と分離部が設けられ、上記分離部と上記案内部とは互いに連結され、上記分離部は曲面であり、上記送りガスケットの移動方向に垂直である上記曲面の断面は曲線であり、
最後に、上記ラベル分離装置を駆動し、ラベル分離装置に実装された送りガスケットは駆動によって移動し、送りガスケットは上記分離刃具の上表面に沿って移動し、上記送りガスケットの上面に付着されたラベルは送りガスケットと共に上記案内部と上記分離部とを通過し、上記送りガスケットが上記案内部から離れて上記分離部と接触するとき、送りガスケットとその上のラベルは上記分離部によって曲げられることを特徴とするラベル分離方法。
【発明の詳細な説明】
【技術分野】
【０００１】
本発明は、ラベル分離装置に関し、特に超薄型ラベルの分離に応用することができる分離装置と分離方法に関するものである。
【背景技術】
【０００２】
ラベルを印刷するとき、複数のラベルを連続、集中して大量に印刷し、これらを所定の製品に貼り付けるとき、ラベルを一枚ずつ外して各商品に貼り付ける。ラベルプリンターで長尺状のガスケットを長辺方向に印刷する場合、ガスケットには長辺方向に沿う複数のラベルが貼り付けられ、ラベルとラベルとの間には間隔が形成される。ガスケットは、ラベル用紙を集め、ラベル用紙を商品の所定の位置まで送る作用を奏する。ガスケットが所定の位置に到達すると、ラベル分離装置はラベルを一枚ずつガスケットから剥離して所定の製品に貼り付ける。ラベルが剥離された後、ラベルの進行軌跡とガスケットの進行軌跡はそれぞれ二つの方向に進行し、ラベルが剥離されたガスケットは巻取り軸に巻かれる。
【０００３】
従来の技術において、長尺状のガスケットは上表面と下表面を含み、上表面には若干のラベルが貼り付けられ、下表面は送りベルトに沿って進行する。この装置には、送りベルトの末端が剥離位置に近づくときラベルをガスケットから分離させる分離部材が設置されており、分離部位を通過したガスケットは反対の方向に回転し、ガスケットを送りベルトの逆方向に戻す。上記分離部材上の尖端は剥離位置を指す。
【０００４】
ラベルが剥離されたガスケットは巻取り軸に巻き取られる。巻取り軸の付近に張力調整部材が設けられていることにより、ガスケットを巻くとき、ガスケットの張力を維持することができる。張力が与えられたガスケットが尖端部分を通過するとき、曲面張力の作用により、まずラベルの縁部が外され、次にラベル全体がガスケットから分離される。最後は、外されたラベルが製品に張り付けられる。これにより、剥離過程が終了する。しかし、従来のラベル分離技術はいずれも、分離部材の尖端でガスケットとラベルを曲げ、曲面張力でガスケットとラベルを剥離する。
【０００５】
技術の発展と進歩に伴い、ラベル業界において色々な技術の改良を行うことにより、色々な新しい印刷技術及び新規材料が続々出ている。例えば、極めて薄い薄膜材料をラベルに応用したことがこのうちの一例である。薄膜材料がコストと性能面の優勢を有しているため、薄膜材料で製造したラベル（以下超薄型ラベルと略称）が続々出ている。しかし、従来のラベル分離方法で超薄型ラベルを分離するとき、ラベルを容易に分離することができないので、ガスケットから外されていないラベルがガスケットと共に戻り、巻き取りプロセスに入るおそれがある。これにより、ラベルの分離率が低下し、ラベルを貼っていない製品がよく出るおそれがある。
【０００６】
本願の発明者は、上記欠点を解消するため、超薄型ラベルの剥離率とラベルを製品に貼り付ける際の歩留まりとを向上させることができるラベル分離装置を提案する。
【発明の概要】
【発明が解決しようとする課題】
【０００７】
本発明の目的は、超薄型ラベルの剥離率とラベルを製品に貼り付ける際の歩留まりとを有効に向上させることができるラベル分離装置を提供することにある。
【課題を解決するための手段】
【０００８】
本発明のラベル分離装置は上表面を有する分離刃具を含み、ラベルが付着された送りガスケットは上記分離刃具の上表面に沿って移動することができる。上記送りガスケットの上面にはラベルが付着され、底面は分離刃具の上表面と対向する。上記分離刃具の上表面には案内部と分離部が設けられ、上記分離部と上記案内部とは互いに連接されている。上記分離部は曲面であり、上記送りガスケットの変位方向に垂直である上記曲面の断面は曲線である。上記曲線の曲率半径は１乃至２００ｍｍであり、上記曲線の中央部の曲率半径は両側の曲率半径よりも大きい。
【０００９】
上記ラベル分離装置において、上記曲面は円弧面であり、上記曲線は円弧線である。
【００１０】
上記ラベル分離装置において、上記案内部の上方の両側には案内押さえが設けられている。
【００１１】
本発明はラベル分離方法を更に提供する。このラベル分離方法は、次のステップを含む。まず、ラベルを送りガスケットの上面に間隔を空けて付着させる。次に、ラベルが付着された送りガスケットをラベル分離装置に実装する。該ラベル分離装置は上表面を有する分離刃具を含み、ラベルが付着された送りガスケットは上記分離刃具の上表面に沿って移動することができる。上記送りガスケットの上面にはラベルが付着され、この底面は分離刃具の上表面と対向する。上記分離刃具の上表面には案内部と分離部が設けられ、上記分離部と上記案内部とは互いに連接されている。上記分離部は曲面であり、上記送りガスケットの変位方向に垂直である上記曲面の断面は曲線である。最後に、上記ラベル分離装置を駆動する。これにより、ラベル分離装置に実装された送りガスケットは所定の方向に移動し、送りガスケットは上記分離刃具の上表面に沿って移動する。上記送りガスケットの上面に付着されたラベルは送りガスケットと共に上記案内部と上記分離部とを通過し、上記送りガスケットが上記案内部から離れて上記分離部と接触するとき、送りガスケットとその上のラベルは、上記分離部によって曲げられる。
【００１２】
以下、図面を参照しながら、本発明の特徴や技術内容を詳しく説明する。下記図面等は本発明を説明するためのものであるが、これによって本発明を限定するものではない。
【図面の簡単な説明】
【００１３】
【図１】本発明の一つの実施例に係るラベル分離装置の構造図である。
【図２】図１のラベル分離装置のII−II'線に沿う断面図である。
【図３】本発明の他の実施例に係るラベル分離装置の構造図である。
【発明を実施するための形態】
【００１４】
図１に示すとおり、本発明の実施例に係るラベル分離装置１０は、上表面１２３を有する分離刃具１２を含む。上面にラベル１５が付着されている送りガスケット１３は、上記分離刃具１２の上表面１２３に沿って移動することができる。ラベル１５が付着されている送りガスケットの一面は送りガスケット１３の上面であり、分離刃具１２と接触している他面は送りガスケット１３の底面である。上記分離刃具１２の上表面には案内部１２１と分離部１２２が設けられ、上記分離部１２２と上記案内部１２１とは互いに連結され、上記分離部１２２は曲面であり、上記送りガスケット１３の移動方向に垂直な方向に沿う上記曲面の断面は曲線である。
【００１５】
分離刃具１２の分離部１２２は曲面であり、上記送りガスケット１３やラベル１５の移動方向に垂直な方向に沿う上記曲面の断面は曲線である。曲面と曲線によって、送りガスケット１３の幅方向においてラベルを曲げることができる。上記曲面は円弧面であり、上記曲線は円弧線である。本実施例において、円弧面が複合円弧面であってもよい。即ち、異なる曲率を有する複数の円弧面で構成される複合円弧面であってもよい。同様に、円弧線が複合円弧線であってもよい。即ち、異なる曲率を有する複数の円弧線で構成される複合円弧線であってもよい。上記曲線の曲率半径の範囲は１〜２００ｍｍであることが好ましく、曲線が異なる曲率の複数の円弧線で構成される場合、上記曲線の中央部の曲率半径が両側の曲率半径よりも大きいことが好ましい。分離部１２２を曲面にする目的は、ラベル１５が送りガスケットから分離される前、ラベルを予め曲げることにある。ラベルが幅方向の湾曲形を有すれば、本発明の一部分の設計目的を奏することができる。例えば、分離部１２２をこの両側が外側に向かって下方へ傾斜する構造に設計してもよい。上記ラベル分離装置の分離刃具１２の分離部１２２は、曲面であるか或いは複合斜面であり、ラベルが付着されている送りガスケットは、分離刃具１２の上表面１２３に沿って移動する。送りガスケット１３が分離部１２２に到達するとき、送りガスケット１３に付着されているラベル１５は、分離部１２２の曲面や複合斜面によって湾曲形に曲げられる。送りガスケット１３の移動方向に垂直な方向に沿う分離部１２２の曲面や複合斜面の断面が湾曲形又は傾斜形に形成されることにより、ラベル１５の移動方向の硬度を向上させることができる。したがって、ラベルが送りガスケットと共に分離部の尖端に着くとき、ラベルが湾曲形にされかつ変位方向の硬度が向上した状態で、先端部によって再び曲げられるので、ラベル１５を送りガスケットから容易に外し、かつラベルの剥離率と製品にラベルを貼り付ける際の歩留まりを向上させることができる。
【００１６】
図３は、本発明の第二の実施例に係るラベル分離装置である。図３のラベル分離装置２０の構造とラベル分離装置１０の構造とがほぼ一致するが、相違点は本実施例のラベル分離装置２０が分離刃具２２を更に含むことにある。上記分離刃具２２は上表面２２３を有し、ラベル２５が付着されている送りガスケット２３は、上記分離刃具２２の上表面に沿って移動する。上記分離刃具２２の上表面には案内部２２１と分離部２２２が設けられ、上記分離部２２２と案内部２２１とは互いに連結される。前例と異なる箇所は、案内部２２１の上方の両側に案内押さえ２４が設けられていることにある。上記案内押さえ２４は、送りガスケット２３を両側から押すことにより、送りガスケット２３とラベル２５とが曲面に当接するとともに曲面に沿って曲がるようにする。上記案内押さえ２４は、案内部２２１の両側から送りガスケット２３の縁を上方へ押す。上記案内押さえ２４は、案内部２２１の両側に一つずつ形成される構造であるか、或いは案内部２２１の両側から中央へ延伸して一体にされかつ案内部２２１の上方に位置する門式構造であることができる。上記案内押さえ２４が送りガスケット２３に下へ押す作用力を与えるので、分離部の曲面上に置かれた送りガスケットとラベルとを曲面に沿って曲げることができる。すなわち、送りガスケット２３に曲げる作用力を与えることにより、送りガスケットが平坦表面から湾曲曲面に変化し、案内部２２１に沿って曲がるように案内することができる。
【００１７】
本発明は、ラベル分離方法を更に提供する。本発明のラベル分離方法は以下のステップを含む。
【００１８】
まず、ラベルを送りガスケットの上面に間隔を空けて付着させる。
【００１９】
次に、ラベルが付着された送りガスケットをラベル分離装置に実装する。ラベル分離装置は上表面を有する分離刃具１２を含み、送りガスケット１３を実装するとき、ラベル１５が付着された送りガスケットの上面が上に向くようにし、送りガスケット１３の底面は上記分離刃具１２の上表面１２３に貼り付ける。ラベル１５が付着された送りガスケット１３は、分離刃具１２の上表面１２３に沿って移動することができる。送りガスケット１３はラベル分離装置上に設置され、上記分離刃具の上表面には案内部１２１と分離部１２２とが形成され、上記案内部１２１と分離部１２２とは互いに連結され、上記分離部１２２は曲面であり、上記送りガスケット１３の変位方向に垂直な上記曲面の断面は曲線である。
【００２０】
その後、上記ラベル分離装置を駆動して、ラベル分離装置に実装された送りガスケットが駆動によって移動するようにする。上記送りガスケット１３は、分離刃具１２の上表面１２３に沿って案内部１２１から分離部１２２へ移動する。上記送りガスケット１３の上面のラベル１５は、送りガスケット１３と共に案内部１２１と上記分離部１２２とを通過する。上記送りガスケット１３が上記案内部１２１から離れて上記分離部１２２と接触するとき、送りガスケット１３とその上のラベル１５は上記分離部１２２によって曲げられる。送りガスケットとラベルとが動き続けることによってラベルが分離部の尖端に到達するとき、ラベルが変位方向に沿って送りガスケットから外れる。これにより、外されたラベルを製品に張り付けることができる。
【００２１】
上記ラベル分離装置の分離刃具の分離部は曲面であり、上記送りガスケットの移動方向に垂直である曲面の断面は曲線である。これにより、ラベルと送りガスケットとが分離部を通過するとき、分離部の曲面によって曲げられる。ラベルと送りガスケットとが湾曲形に形成されることにより、ラベルの移動方向の硬度を向上させることができる。また、ラベルが送りガスケットと共にラベル分離部の尖端に到達するとき、ラベルを送りガスケットから容易に外し、ラベルの剥離率やラベルを製品に貼り付ける際の歩留まりを向上させることができる。
【００２２】
本発明の他の実施例において、ラベル分離装置の下方に張力調整用ホイールを更に設置してもよい。この場合、ラベル分離装置に巻かれた送りガスケットがより大きい張力を与えるので、ガスケットが回転して分離部を通過するとき、より大きい力を受け、よい大きい張力を得ることができる。すなわち、ラベルと送りガスケットとにより大きい表面剛性が与えられることにより、ラベルがより容易に外れ、送りガスケットから外すことができる。
【００２３】
上述したとおり、本発明が上記発明の効果を奏することができるので、特許を出願する。
【００２４】
以上、これらの発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。
【符号の説明】
【００２５】
１０、２０  ラベル分離装置
１２、２２  分離刃具
１２１、２２１  案内部
１２２、２２２  分離部
１２３、２２３  上表面
１３、２３  送りガスケット
２４  案内押さえ
１５、２５  ラベル
【図１】
2017081681.tif 000003
【図２】
2017081681.tif 000004
【図３】
2017081681.tif 000005